(57)【要約】      （修正有）【課題】融雪剤の散布直後には即効性がより高く、融雪剤の散布から時間が経過してからは持続性がより高い融雪剤を製造し提供する。【解決手段】複数の層を備える融雪剤１であって、少なくとも高即効性成分層と、高持続性成分層とを含み、前記高即効性成分層は融雪剤の最表層２に設けられ、前記高持続性成分層は融雪剤の内部層３に設けられる融雪剤を提供する。【選択図】図１
2019218501.tif 000002
【特許請求の範囲】
【請求項１】
複数の層を備える融雪剤であって、
少なくとも高即効性成分層と、高持続性成分層とを含み、
前記高即効性成分層は融雪剤の最表層に設けられ、
前記高持続性成分層は融雪剤の内部層に設けられる、融雪剤。
【請求項２】
前記高即効性成分層は、塩化マグネシウムからなる、請求項１に記載の融雪剤。
【請求項３】
前記高持続性成分層は、塩化カルシウムからなる、請求項１又は２に記載の融雪剤。
【請求項４】
前記複数の層は２層であり、
前記高即効性成分層と前記高持続性成分層は隣接して設けられる、請求項１から３のいずれか一項に記載の融雪剤。
【請求項５】
前記融雪剤は略球状である、請求項１から４のいずれか一項に記載の融雪剤。
【請求項６】
複数の層を備える融雪剤の製造方法であって、
高持続性成分を水で溶解し、
前記溶解した高持続性成分を加熱し、水分を蒸発し、結晶化し、
前記結晶化した高持続性成分に、高即効性成分を吹き付けてコーティングし、粒子を形成し、
前記コーティングされた粒子を篩により所定の粒径以上の粒子を回収して得られる、
融雪剤の製造方法。
【請求項７】
前記高即効性成分は塩化マグネシウムであり、前記高持続性成分は塩化カルシウムである、請求項６に記載の融雪剤の製造方法。
【請求項８】
前記コーティングされた略球状の粒子を篩により所定の粒径以上の粒子を回収する際に分離された、所定の粒径未満の粒子を、前記結晶化した高持続性成分に追加する工程をさらに含む、請求項６又は７に記載の融雪剤の製造方法。
【発明の詳細な説明】
【技術分野】
【０００１】
本発明は、融雪剤及び融雪剤の製造方法に関する。特に複数の層構造を有する融雪剤及びその製造方法に関する。
【背景技術】
【０００２】
降雪量の多い寒冷地では、冬の路面凍結や堆雪が交通障害の要因となる。かかる交通障害を避けるべく、凍結抑止や融雪、融氷のため、融雪剤が古くから用いられている。
融雪剤としては、塩化ナトリウム、塩化カルシウム、塩化マグネシウム、塩化カリウム等の、従来から融雪剤として使用されている塩化物を、それぞれ単独で、あるいは該塩化物２種以上を混合して用いられてきた（特許文献１等参照）。さらには、該塩化物類のみからなる融雪剤の性質を改善するために、他の成分をさらに配合した融雪剤が用いられてきた（特許文献１、２等参照）。
【０００３】
特許文献１は、塩化マグネシウム、塩化カリウム、塩化ナトリウムを混合することによって、植物に悪影響を与えず、融氷時に速効性、持続性を備えた凍結防止剤が得られることを開示している。また、該混合物（配合物）に、トリポリリン酸ナトリウムを混合することにより、さらに防錆効果を備える凍結防止剤が得られることを開示している。
特許文献２には、糖蜜または廃糖密を培養液成分として酵母を培養した後の廃液と、塩化カルシウム、塩化マグネシウム、塩化ナトリウム、塩化カリウム、カルシウムマグネシウム酢酸塩から選ばれた塩化合物とを含有させることにより、融雪効果を高めた融雪剤を提供できることが開示されている。
【先行技術文献】
【特許文献】
【０００４】
【特許文献１】特開平１０−２１９２３０公報
【特許文献２】特開２００１−２７１０６０報
【０００５】
ところで、塩化物の成分や他の成分を混合するのは、それぞれの成分の環境に対する影響、融雪の即効性や持続性、防錆性、製造時操作性といった性質を相補うためであることが多い。
しかしながら、即効性の高い成分（以下、「高即効性成分」という。たとえば、塩化マグネシウム）を他の成分と混合して造粒した場合、高即効性成分は融雪剤の表面部分にも内部にもほぼ均一に存在するため、融雪剤内部に存在する高即効性成分が雪に接するまでに時間がかかる。このため、該高即効性成分の即効性が高い性質を、融雪に対し十分に生かしているとはいえない。
また、持続性の高い成分（以下、「高持続性成分」という。たとえば、塩化カルシウム）を他の成分と混合して造粒した場合、高持続性成分は融雪剤の表面部分にも内部にもほぼ均一に存在する。すなわち、融雪剤の内部でも高持続性成分以外の成分も含まれている状態、言い換えれば、高持続性成分が他の成分に希釈された状態となっている。そのため、融雪剤を散布してから、時間が経過して融雪剤の内部が雪に接するようになった後に求められる、該高持続性成分の持続性の高い性質も、融雪に対し十分に生かしているとはいえない。
【発明の概要】
【発明が解決しようとする課題】
【０００６】
本発明は、上記事情を鑑みてなされたものであり、従来品に比べ、散布直後には融雪の即効性がより高く、散布からの時間が経過してからは融雪の持続性がより高い融雪剤を製造し提供することを課題とする。
【課題を解決するための手段】
【０００７】
上記課題を解決するために、本発明の融雪剤は、複数の層を備える融雪剤であって、少なくとも高即効性成分層と、高持続性成分層とを含み、前記高即効性成分層は融雪剤の最表層に設けられ、前記高持続性成分層は融雪剤の内部層に設けられることを特徴とする。
【０００８】
また、本発明の融雪剤の製造方法は、複数の層を備える融雪剤の製造方法であって、高持続性成分を水で溶解し、前記溶解した高持続性成分を加熱し、水分を蒸発し、結晶化し、前記結晶化した高持続性成分に、高即効性成分を吹き付けてコーティングし、略球状の粒子を形成し、前記コーティングされた略球状の粒子を篩により所定の粒径以上の粒子を回収して得られることを特徴とする。
【発明の効果】
【０００９】
本発明の融雪剤によれば、最表層に溶解性・潮解性が高い高即効性成分が含まれるため、融雪剤の散布直後に触れた雪や氷を、短時間で融雪、融氷することができる。よって、融雪剤が有する即効性の高い融雪効果を、従来品より十分に生かすことができる。
さらに、内部層に氷結点の低い高持続性成分が含まれるため、融雪剤の散布から時間が経過して以降に触れた雪や氷を、より長い時間、融雪、融氷することができる。よって、融雪剤が有する持続性の高い融雪効果を、従来品より十分に生かすことができる。
つまり、本発明の融雪剤は、融雪剤の即効性と持続性の両方を、従来品より十分に生かすことができるものである。
【図面の簡単な説明】
【００１０】
【図１】本発明の複数の層を備える融雪剤の一例の概略図を示す。
【図２】本発明の２層の融雪剤の一例の概略図を示す。
【図３】本発明の融雪剤の製造工程の一例を示す。
【発明を実施するための形態】
【００１１】
本発明の融雪剤１は、高即効性成分層と、高持続性成分層を含む、複数の層を備えるものであり、図１、２に一例の概略を示す。以下に、本融雪剤について詳細に説明する。
【００１２】
高即効性成分層は、融雪や融氷の即効性の高い高即効性成分を含む層であり、図１、２に示されるように融雪剤の最表層２に設けられる。
【００１３】
ここで、融雪剤が散布されることにより融雪効果や融氷効果が得られるのは、路面上等の雪や氷を溶解させる機能すなわち溶解性・潮解性や、路面上等の雪や氷の水分が凍結する前に氷結点を低下させる機能（以下、「氷結点低下性」という。）を利用することによるものである。溶解性・潮解性は融雪剤の即効性に繋がり、氷結点低下性は融雪剤の持続性に繋がる。
【００１４】
高即効性成分は、融雪剤の使用想定温度（概ね−５５℃〜４℃）において、雪や氷の溶解性・潮解性の高い成分が選択される。溶解性・潮解性は温度により変化することに留意する。従来から融雪剤として利用されている塩化物の中では、塩化マグネシウムの潮解性が高く、高即効性成分としては塩化マグネシウムがより好ましい。なかでも、アスファルトやコンクリートに影響を与える硫酸イオンの含有が少ない、天然塩化マグネシウムがさらに好ましい。
【００１５】
高即効性成分層は、融雪剤の最表層２に設けられる。融雪剤の散布直後に触れた雪や氷を、高即効性成分の溶解性・潮解性により、効率的に融雪、融氷するためである。
【００１６】
なお、最表層２の表面部分の全体あるいは部分に、高即効性分の溶解性・潮解性を調整する添加成分として、粉体等がまぶされて、あるいは含まれていてもよい。
【００１７】
高持続性成分層は、融雪や融氷の持続性の高い高持続性成分を含む層であり、図１、２に示されるように融雪剤の内部層３に設けられる。
【００１８】
高持続性成分は、雪や氷の水分の氷結点低下性が高い成分が選択される。従来から融雪剤として利用されている塩化物の中では、塩化カルシウムの氷結点低下性が高く、高持続性成分としては塩化カルシウムがより好ましい。なかでも、環境に影響を与える不純物の含有量が少ない、純度９４％以上の高純度の塩化カルシウムがさらに好ましい。
【００１９】
高持続性成分層は、融雪剤の内部層３に設けられる。融雪剤の散布から時間が経過してから触れた雪や氷を、より長い時間、融雪、融氷するためである。よって、高即効性成分層となる最表層２より内部に設けられればよく、図１のように、最表層２と内部層３の間に、中間層４が挟まれて隣接して設けられていてもよいし、図２のように、最表層２と内部層３が隣接して設けられていてもよい。
中間層４は、融雪剤に使用される成分であれば特に限定はなく、従来から使用されている他の塩化物や、融雪剤の性質を改善する物質等が含まれていてもよい。雪や氷が最表層２に高即効性成分に接したときに溶解性・潮解性が発揮され、雪や氷による水分が内部層３に接したときに高持続性成分により氷結点低下性が発揮されれば、本発明の課題は解決され、効果が得られるからである。
【００２０】
融雪剤の形状は、最表層に高即効性成分層が、内部層に高持続性成分層が設けられれば、略球状、略角状、略円筒状等であってもよいが、製造上の観点からは略球状であることが好ましい。
【００２１】
内部層３の径は２−４ｍｍであることが好ましく、２．５−３．５ｍｍであることがより好ましい。最表層２の厚みは０．５−２ｍｍであることが好ましく、０．５−１．５ｍｍであることがより好ましい。また、融雪剤１の粒径は２．５−７ｍｍであることが好ましく、４−５ｍｍであることがより好ましい。
【００２２】
高即効性成分と高持続性成分の比率は、即効性（溶解性・潮解性）及び持続性（氷結点低下性）のバランスから、高即効性成分７０〜８０％：高持続性成分２０〜３０％程度であることが好ましい。
【００２３】
本発明の融雪剤の製造方法は、（１）高持続性成分を水で溶解する工程と、（２）溶解した高持続性成分を加熱し、水分を蒸発し、結晶化する工程と、（３）結晶化した高持続性成分に、高即効性成分を吹き付けてコーティングし、粒子を形成する工程と、（４）コーティングされた粒子を篩により所定の粒径以上の粒子を回収する工程を含む。
【００２４】
図３に融雪剤の製造工程の概要を示す。
【００２５】
（１）高持続性成分を水で溶解する工程では、純度９４％以上の塩化カルシウム二水物（ＣａＣｌ2・２Ｈ2Ｏ）を２．５−４質量％の水溶液となるように水で溶解する。該高濃度の塩化カルシウム水溶液は、パイプを通じて（２）の工程に送られる。
【００２６】
（１）の工程からパイプで送られた高濃度の塩化カルシウム水溶液は、（２）の工程で加熱され、水分が蒸発し、結晶化される。該結晶は、粒径約２−４ｍｍの略球状の塩化カルシウム核であり、（３）の工程に送られる。
【００２７】
（３）の工程では、天然塩化マグネシウム六水和物（ＭｇＣｌ2・６Ｈ2Ｏ）を飽和水溶液となるように水で溶解する。該塩化マグネシウム水溶液は、（２）の工程で形成された略球状の塩化カルシウムにスプレーすることによりコーティングを行う。コーティングの際、略球状の塩化カルシウムにまんべんなく塩化マグネシウムが被覆されるように、スクリュー等で回転搬送させながら熱風で乾燥させ、塩化カルシウムの粒を踊らせながらコーティングすることが望ましい。
【００２８】
（３）の工程でコーティングされた粒子は、（４）の工程で篩により、たとえば４ｍｍの粒径以上の粒子を回収する。粒径は篩の目の粗さで調整される。なお、篩から落とされて分離された、粒径の小さなコーティングされた粒子は、（３）の工程に戻し、再度塩化マグネシウム水溶液によりスプレーしてもよい。
【００２９】
（４）の工程で得られた融雪剤は、積雪あるいは凍結の路面、圧雪後の路面に適宜散布することができる。たとえば、積雪５ｃｍでかつ凍結している路面には、１坪あたり約３００ｇ散布することが望ましい。
【産業上の利用可能性】
【００３０】
以上のように、本発明の融雪剤は、複数の層を備える融雪剤であり、最表層に即効性の高い成分、内部層に持続性の高い成分を設けることにより、従来の融雪剤に比べ、即効性と持続性の両方をより高めることができる。この発明により、降雪量の多い寒冷地域の路面上の積雪の融雪、融氷、凍結抑止において、「早く溶かし長く効く」本融雪剤が広く応用され、ひいては交通障害の改善に繋がることが期待される。
【符号の説明】
【００３１】
１    融雪剤
２    最表層
３    内部層
４    中間層
【図１】
2019218501.tif 000003
【図２】
2019218501.tif 000004
【図３】
2019218501.tif 000005